(57)【要約】      （修正有）【課題】レシートを活用すると共に、読み返した場合であっても、日記部とレシート貼付部との視認性が高く、かつ使いやすい日記帳を提供する。【解決手段】レシートを貼付しうる日記帳であって、文字記載部１４と、上記文字記載部に隣接してレシート２０を貼付しうるレシート貼付部１５とが一ページ内に設けられている。【選択図】図３
0003185861.tif 000002
【実用新案登録請求の範囲】
【請求項１】
レシートを貼付しうる日記帳であって、文字記載部と、上記文字記載部に隣接してレシートを貼付しうるレシート貼付部とが一ページ内に設けられていることを特徴とする日記帳。
【請求項２】
上記レシートは、上記レシート貼付部に貼付手段により固定されることを特徴とする請求項１記載の日記帳。
【請求項３】
上記貼付手段は、マスキングテープであることを特徴とする請求項２記載の日記帳
【請求項４】
上記レシートを収納する収納部を有することを特徴とする請求項１記載の日記帳。
【請求項５】
表表紙と、裏表紙と、上記表表紙と上記裏表紙との間に積層配置された頁シートとを有し、上記表表紙及び上記裏表紙を閉じた状態で、上記表表紙及び上記裏表紙を厚さ方向に挟持固定しうる挟持部材を備えていることを特徴とする請求項１記載の日記帳
【考案の詳細な説明】
【技術分野】
【０００１】
本考案は、レシートを貼付しうる日記帳の改良に関するものである。
【背景技術】
【０００２】
今日、絵日記や育児日記、電子日記等の多種の日記帳が流通していると共に、ブログを開設する者は増加し、日記を付ける行動は習慣化されている。
また、今日の日記は、思い出や出来事を文章で記すだけでなく、写真やシール等の形あるものを貼付した独創的な日記帳に構成されていることが多い。
【０００３】
一方で、思い出や出来事を残す形あるものの例としては、写真やシールの他に、旅行先や外出先等で商品を購入した際に発行されるレシートや、映画館やコンサートに入場する際に配布されるチケット等がある。
特にレシートは、日常的に多量に発行されるものであり、時間の経過と共に、財布内で必要以上に嵩張り、さらに大多数が不要物として廃棄されるため、他用途で活用されることは少ない。
【０００４】
そのため、今日においては、レシートを活用することにより独創的な日記帳を作ることができる。
【０００５】
このような観点からレシート等を貼付及び収納することで独創性を有した日記帳または手帳として以下のような従来技術が存在する。例えば、特許文献１には、見開き面の一方ページ面を日記部面とし、他方ページ面をチケット等を出し入れ可能な保存面として構成することで、日記に関連する思い出等を対応させて、効果的に日々の記録を残せるユニークな保存機能付き日記帳が開示されている。
【０００６】
特許文献２には、雑事を記入する欄と、日々の出来事や感想を記入する欄と、写真・切手等を貼る欄とが設けられることで、広範囲にわたって個人の趣味や生活上の要求に合致したメモリアルブックが開示されている。
【０００７】
特許文献３には、少なくとも旅程の頁、スタンプの頁、写真の頁及び住所録の頁の複数の綴じ込みから構成されることで、１回の小旅行における記録を整理して収録できるので、全記録管理が容易であると共に、記録の散逸を防止することができるフォトアルバム付き手帳が開示されている。
【０００８】
しかしながら、特許文献１から３は、いずれも、日々の思い出や出来事を記載する日記部と、レシートやチケット、写真等を貼付する貼付部とが、同一ページ内に設けられていないため、日記部と、日記部に関連した貼付部との視認性が低く、使いにくいと共に、日記帳を読み返した場合には、相乗効果も低く、感激も半ば減少してしまうこととなる。
また、レシート等を貼付する貼付手段を備えていないため、外出先等でレシートが発行された後、直ぐに貼付することができないという不具合があった。
【０００９】
さらに、特許文献２にあっては、写真・切手等を収納する収納部を備えていないため、日常的に多量に発行されるレシートを直ぐに貼付することができない場合には、日記帳に保管することができないため、財布内で必要以上に嵩張り、時間の経過と共に、紛失または廃棄してしまうという不具合があった。
【特許文献１】実用新案登録第３０４０２９２号公報
【特許文献２】実用新案登録第３０１９５３９号公報
【特許文献３】特許第２８３８０４８号公報
【考案の開示】
【考案が解決しようとする課題】
【００１０】
本考案は、このような従来からの不具合を解決するためのものであり、レシートを活用すると共に、読み返した場合であっても、日記部とレシート貼付部との視認性が高く、かつ使いやすい日記帳を提供することにある。
【課題を解決するための手段】
【００１１】
上記課題達成のため、請求項１記載の考案にあっては、レシートを貼付しうる日記帳であって、文字記載部と、上記文字記載部に隣接してレシートを貼付しうるレシート貼付部とが一ページ内に設けられていることを特徴とする。
【００１２】
したがって、請求項１記載の考案にあっては、文字記載部とレシート貼付部とが同一ページ内に隣接して設けられていることから、貼付したレシートと、文字記載部に記載した上記レシートに関連する日記文とを容易に照らし合わせることができ、日記文を記載しやすい。
【００１３】
請求項２記載の考案にあっては、上記レシートは、上記レシート貼付部に貼付手段により固定されることを特徴とする。
【００１４】
請求項３記載の考案にあっては、上記貼付手段は、マスキングテープであることを特徴とする。
【００１５】
したがって、請求項２及び３記載の考案にあっては、上記レシートの貼付手段であるマスキングテープは、一般的には、和紙による基材部と、粘着力が弱く、かつ貼付した際に糊残りの少ない粘着剤部とにより構成されている。
和紙は、洋紙よりも繊維の長さが長く、また紙を抄く際には、原料に紙を弱くする成分を使用することなく、かつ、繊維を傷める工程がないため、紙の変色や変質が起こりにくい。その結果、洋紙に比して高強度性を有すると共に、保存性に優れている。
【００１６】
請求項４記載の考案にあっては、上記レシートを収納する収納部を有することを特徴とする。
【００１７】
したがって、請求項４記載の考案にあっては、上記レシートが発行された後、収納部に一時的に保管することができる。
【００１８】
請求項５記載の考案にあっては、表表紙と、裏表紙と、上記表表紙と上記裏表紙との間に積層配置された頁シートとを有し、上記表表紙及び上記裏表紙を閉じた状態で、上記表表紙及び上記裏表紙を厚さ方向に挟持固定しうる挟持部材を備えていることを特徴とする。
【００１９】
したがって、請求項５記載の考案にあっては、上記レシートが上記収納部内で複数枚が積層された場合であっても、挟持部材により上記表表紙及び上記裏表紙を厚さ方向に挟持固定することができる。
【考案の効果】
【００２０】
請求項１記載の考案にあっては、レシートを貼付しうる日記帳であることから、日常的に多量に発行されるものの、その大多数が不要物として廃棄されるレシートを大切な思い出を呼び起こすツールとして効果的に活用することができる。
また、日記帳を読み返した場合であっても、貼付したレシートと、文字記載部に記載した上記レシートに関連する日記文とは同一ページ内に配置され、容易に照らし合わせることができることから、文字記載部とレシート貼付部との視認性を高く、かつ使い勝手が良い日記帳を提供することができる。
【００２１】
さらに、上記レシートが廃棄物として焼却処理されることはないため、レシートを有効に利用することができ、二酸化炭素を発生させることなく、地球温暖化の促進を抑止し、地球環境を保護することができる。
【００２２】
請求項２及び３記載の考案にあっては、レシートの貼付手段であるマスキングテープは、一般的には、和紙による基材部と、粘着力が弱く、かつ貼付した際に糊残りの少ない粘着剤部とにより構成されている。
したがって、レシートを貼付する場合には、マスキングテープを所望の長さで容易に切断することができると共に、レシート貼付部以外のシートを汚すことなく貼付することができる。
また、和紙は、洋紙に比して高強度性を有すると共に、保存性に優れており、変色や変質が起こりにくいため、レシート貼付部のシートの外観を良好に維持することができる。
【００２３】
請求項４記載の考案にあっては、上記レシートが発行された後、収納部に一時的に保管することができるため、例えば、レシートを直ぐに貼付する時間がない場合や、一日にレシートが多量に発生し、日記帳に残すべくレシートを直ぐに選択することができない場合にあっては、レシートを紛失することなく保管することができる。
【００２４】
請求項５記載の考案にあっては、上記レシートが上記収納部内で複数枚が積層された場合であっても、挟持部材により上記表表紙及び上記裏表紙を厚さ方向に挟持固定することができるため、収納部内に収納されたレシートが不用意に飛び出すことを防止することができる。また、レシート貼付部に貼付したレシートの一部が剥離状態にあっても、剥がれ落ちることを防止することができる。
【図面の簡単な説明】
【００２５】
【図１】本考案に係る日記帳における一実施の形態であって、見開きを示す平面図である。
【図２】本考案に係る日記帳を構成する貼付手段の一実施の形態を示す平面図である。
【図３】本考案に係る日記帳における一実施の形態であって、レシートを貼付した状態を示す平面図である。
【図４】本考案に係る日記帳を構成する収納部の一実施の形態を示す平面図である。
【図５】本考案に係る日記帳を構成する挟持部材の一実施の形態を示す斜視図である。
【考案を実施するための最良の形態】
【００２６】
以下、添付図面に示す実施の形態に基づき、本考案を詳細に説明する。
図１は、本考案に係る日記帳１０における一実施の形態であって、見開きを示す平面図である。
図１に示すように、本実施の形態に係る日記帳１０は、多数枚の頁シート１１が積層され、頁シート１１の幅方向端部において接合部１２が設けられることにより形成されている。
【００２７】
頁シート１１には、幅方向右側において上下方向に沿って頁シート１１の幅寸法の約１／３の長さ寸法の罫線１３が引かれた文字記載部１４と、文字記載部１４の左側方に形成され、レシート（図示せず）を貼付しうるレシート貼付部１５が設けられている。
【００２８】
文字記載部１４は、最上段に設けられた日付記載欄１６と、日付記載欄１６の下方に設けられた訪問地または購入場所記載欄１７と、訪問地または購入場所記載欄１７の下方に配置されたコメント記載欄１８とが設けられている。
【００２９】
日付記載欄１６には、レシートの日付を記載し、訪問地または購入場所記載欄１７には、旅行で訪問した場所名または商品を購入した場所名を記載する。
また、コメント記載欄１８には、商品を購入した際の思い出や、レシートを記載した日の出来事等を日記文として記載する。
【００３０】
図２及び図３は、本考案に係る日記帳１０を構成する貼付手段１９及び貼付手段１９によりレシート２０を貼付した状態を示す平面図である。
図２に示すように、貼付手段１９は、６本のマスキングテープ２１、２１、２１、２１、２１、２１により構成されている。
【００３１】
各マスキングテープ２１は、一般的に、質感の良い和紙による各基材部３９と、粘着力が弱く、かつ貼付した際に糊残りの少ない各粘着剤部４０とにより構成されている。
基材部３９は、和紙等の紙材やポリ塩化ビニル等の高分子樹脂であるビニル材が使用される。また、粘着剤部４０は、ポリプロピンや塩化ビニル等のゴム材やポリエステルや不織布等のアクリル材が使用される。
【００３２】
図３に示すように、レシート２０は、マスキングテープ２１によりレシート貼付部１５に貼付固定することができると共に、レシート貼付部１５以外の頁シート１１を汚すことなく貼付することができる。
【００３３】
本実施の形態にあっては、レシート貼付部１５の幅寸法ｈは、文字記載部１４の幅寸法ｈ１よりも大きく形成されている。
したがって、レシート２０を貼付し、さらに空白部２２が残存する場合であっても、空白部２２に、例えば、コメント記載欄１８内に記載できなかったコメントや絵を記載することや、他のレシート（図示せず）を貼付することも可能である。
【００３４】
図４は、本考案に係る日記帳１０を構成する収納部２３の一実施の形態を示す平面図である。
図４に示すように、収納部２３は、日記帳１０の裏表紙本体２４の裏面部２５に形成されている。
収納部２３を構成する収納片２６は、裏表紙本体２４の一方の幅方向略下端部２７から他方の幅方向略中央部２８に向って弧状部２９を形成すると共に、裏表紙本体２４の周縁部３０、３１に沿って接着され、接着部３２、３３を形成することで、略二等辺三角形状に構成されている。
【００３５】
さらに、収納片２６は、弧状部２９上端は開放されて開口部３４を形成している。
したがって、収納部２３には、直ぐに貼付する時間がないレシート３５、３５を収納片２６と裏表紙本体２４との間に収納し、開口部３４から取り出し可能となるように構成されている。
【００３６】
図５は、本考案に係る日記帳１０を構成する挟持部材３６の一実施の形態を示す斜視図である。
図５に示すように、挟持部材３６は、帯状に形成されると共に、裏表紙４１の長さ方向上端部３７及び下端部３８に沿って接着されている。
また、挟持部材３６は、ｃｉｓ−ポリイソプレンを主成分とする天然ゴム、またはポリブタジエン系やニトリル系、クロロプレン系化合物を重合した合成ゴム等の伸縮性を有した高弾性材料からなるいわゆるゴムバンド部材として形成され、表表紙４２及び裏表紙４１を閉じた状態で、日記帳１０の長さ方向に一周できる長さに形成されている。
【００３７】
したがって、日記帳１０は、伸縮性を有する挟持部材３６により表表紙４２と、裏表紙４１と、表表紙４２と裏表紙４１との間に積層配置された頁シート１１とを厚さ方向に挟持固定するため、収納部（図示せず）に収納するレシート（図示せず）が多量に積層された場合であっても、日記帳１０の厚み幅に応じて適宜挟持することができる。
その結果、レシートが収納部から不用意に飛び出すことを防止することができると共に、レシート貼付部（図示せず）に貼付されているレシートの一部が剥離状態にあっても、剥がれ落ちることを防止することができる。
【００３８】
本実施の形態にあっては、レシート貼付部１５は、文字記載部１４の左側方に隣接するように構成された場合を例に説明したが、本実施の形態に限定されず、レシート貼付部１５と文字記載部１４の配置方法や幅寸法ｈ、ｈ１は適宜設計変更することが可能である。
また、文字記載部１４として、例えば、購入時間記載部や同伴者記載部等を設けても良い。
【００３９】
さらに、貼付手段１９は、マスキングテープ２１である場合を例に説明したが、本実施の形態に限定されず、貼付機能を有するものであれば、例えば、シール等の粘着剤が塗布された紙片やテープでも良い。
【００４０】
また、収納片２６は、弧状に構成された場合を例に説明したが、本実施の形態に限定されず、直線状であっても良い。さらに、弧状部２９の一部を裏表紙本体２４に接着することで、収納部２３に収納するレシート３５が多量に重ねられた場合であっても、レシート３５が収納部２３から不用意に飛び出すことを防止することができる。
【００４１】
さらに、挟持部材３６は、ゴムバンド部材として構成された場合を例に説明したが、本実施の形態に限定されず、表表紙４２及び裏表紙４１を厚さ方向に挟持固定できるものであれば、例えば、面ファスナー部材や、凹部及び凸部が夫々設けられた係合部材を使用することもできる。
【産業上の利用可能性】
【００４２】
従って、本考案に係る日記帳は、大多数が不要物として廃棄されるレシートを活用すると共に、読み返した場合であっても、日記部とレシート貼付部との視認性が高く、かつ使い勝手が良いため、産業上の利用可能性を有している。
【符号の説明】
【００４３】
１０  日記帳
１１  頁シート
１２  接合部
１３  罫線
１４  文字記載部
１５  レシート貼付部
１６  日付記載欄
１７  訪問地または購入場所記載欄
１８  コメント記載欄
１９  貼付手段
２０  レシート
２１  マスキングテープ
２２  空白部
２３  収納部
２４  裏表紙本体
２５  裏面部
２６  収納片
２７  一方の幅方向略下端部
２８  他方の幅方向略中央部
２９  弧状部
３０  周縁部
３１  周縁部
３２  接着部
３３  接着部
３４  開口部
３５  レシート
３６  挟持部材
３７  長さ方向上端部
３８  長さ方向下端部
３９  基材部
４０  粘着剤部
４１  裏表紙
４２  表表紙
ｈ    レシート貼付部の幅寸法
ｈ１  文字記載部の幅寸法
【図１】
0003185861.tif 000003
【図２】
0003185861.tif 000004
【図３】
0003185861.tif 000005
【図４】
0003185861.tif 000006
【図５】
0003185861.tif 000007